【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
ショートハンド・オン・キーボード・インタフェースを介して入力された入力信号を認識するための単語認識システムであって、
一般的に用いられる単語を含むコア辞書と、
前記コア辞書に含まれない単語を含む拡張辞書と、
前記入力信号に関連付けられた単語を認識するための認識モジュールと、
前記入力信号に関連付けられた出力単語を前記コア辞書から出力するための選択モジュールと、
前記入力信号に関連付けられた候補単語がユーザによって選択されると、前記候補単語を前記コア辞書に載せることを許可するためのモジュールと、
を含む、システム。
【請求項２】
前記ユーザによる選択のために、前記コア辞書および前記拡張辞書の少なくとも一方からの、前記入力信号に関連付けられた候補単語を提示するユーザ選択インタフェースを更に含む、請求項１に記載のシステム。
【請求項３】
前記ユーザ選択インタフェースが、前記コア辞書からの候補単語および前記拡張辞書からの候補単語を、容易に区別するために異なる知覚的特徴でリスト化する、請求項２に記載のシステム。
【請求項４】
前記認識モジュールが、前記コア辞書および前記拡張辞書から候補単語のＮ−ベスト・リストを発生する、請求項１に記載のシステム。
【請求項５】
少なくとも１つの基準に従って前記候補単語のＮ−ベスト・リストをランク付けするための事前ランク付けモジュールを更に含む、請求項４に記載のシステム。
【請求項６】
前記事前ランク付けモジュールが、前記コア辞書からの最も高いランクの単語を、前記候補単語のＮ−ベスト・リストにおける最も高いランクの単語として出力する、請求項５に記載のシステム。
【請求項７】
ショートハンド・オン・キーボード・インタフェースを介して入力された入力信号を認識するための単語認識方法であって、
一般的に用いられる単語をコア辞書にストアするステップと、
前記コア辞書に含まれない単語を拡張辞書にストアするステップと、
前記入力信号に関連付けられた単語を認識するステップと、
前記入力信号に関連付けられた出力単語を前記コア辞書から出力するステップと、
前記入力信号に関連付けられた候補単語がユーザによって選択されると、前記候補単語を前記コア辞書に載せることを許可するステップと、
を含む、方法。
【請求項８】
ユーザ入力インタフェースを介して入力された入力信号を認識するための、コンピュータが使用可能な媒体上にストアされたコンピュータ・プログラムであって、当該コンピュータに、
一般的に用いられる単語をコア辞書にストアするステップと、
前記コア辞書に含まれない単語を拡張辞書にストアするステップと、
前記入力信号に関連付けられた単語を認識するステップと、
前記入力信号に関連付けられた出力単語を前記コア辞書から出力するステップと、
前記入力信号に関連付けられた候補単語がユーザによって選択されると、前記候補単語を前記コア辞書に載せることを許可するステップと、
を実行させるための、コンピュータ・プログラム。
【請求項９】
ショートハンド・オン・キーボード・インターフェースを介して入力された入力信号に係るテキストの語幹および接辞を組み合わせることを可能にするためのシステムであって、
一般的に用いられる単語を含むコア辞書と、
前記コア辞書に含まれない単語を含む拡張辞書と、
前記入力信号に関連付けられた単語を認識するための認識モジュールと、
前記入力信号に関連付けられた出力単語を前記コア辞書から出力するための選択モジュールと、
前記入力信号に関連付けられた候補単語がユーザによって選択されると、前記候補単語を前記コア辞書に載せることを許可するためのモジュールと、
前記入力信号を入力接辞として認識するための連結モジュールであって、更に、候補単語を隣接候補単語として認識する、連結モジュールと、
前記入力接辞を含む辞書内の１組の単語を検索するための、複合単語出力モジュールであって、前記入力接辞を含む前記１組の単語において最も高いランクの辞書単語を出力する、複合単語出力モジュールと、
前記入力接辞を含む前記１組の単語における各辞書単語を前記候補単語および前記入力接辞を含むストリングと比較する類似性関数に従って、前記入力接辞を含む前記１組の単語をランク付けするための、ランク付けモジュールと、
を含むシステム。
【請求項１０】
前記入力接辞が接尾辞である、請求項９に記載のシステム。
【請求項１１】
前記複合単語出力モジュールが前記接尾辞および前記最も高いランクの辞書単語を結合させる、請求項１０に記載のシステム。
【請求項１２】
前記入力接辞が接頭辞である、請求項９に記載のシステム。
【請求項１３】
前記複合単語出力モジュールが前記接頭辞および前記最も高いランクの辞書単語を結合させる、請求項１２に記載のシステム。
【請求項１４】
前記類似性関数が距離関数を含む、請求項１２に記載のシステム。
【請求項１５】
前記隣接候補単語が、前記入力接辞の前に付く候補単語または前記入力接辞の後に付く候補単語のいずれか１つを含む、請求項１２に記載のシステム。
【請求項１６】
前記入力信号に係るテキストが前記入力接辞として認識されない場合、前記複合単語出力モジュールは、
前記入力信号に係るテキストおよび前記隣接候補単語の連結の結果として生じるストリングを生成し、
前記辞書における前記ストリングの発生頻度を求め、
前記ストリングの発生頻度を前記入力信号に係るテキストおよび前記隣接候補単語のそれぞれの発生頻度と比較し、
前記ストリングの発生頻度が前記入力信号に係るテキストおよび前記隣接候補単語のそれぞれの発生頻度を超えた場合、
前記複合単語モジュールは前記入力信号に係るテキストおよび前記隣接候補単語を連結単語として連結し、
前記ストリングを前記連結単語によって置換する、
請求項１５に記載のシステム。
【請求項１７】
前記入力信号に係るテキストおよび前記隣接候補単語の発生頻度に対する前記ストリングの発生頻度の比較が重み付け比較である、請求項１６に記載のシステム。
【請求項１８】
ショートハンド・オン・キーボード・インターフェースを介して入力された入力信号に係るテキストの語幹および接辞を組み合わせることを可能にするための方法であって、
一般的に用いられる単語をコア辞書にストアするステップと、
前記コア辞書に含まれない単語を拡張辞書にストアするステップと、
前記入力信号に関連付けられた単語を認識するステップと、
前記入力信号に関連付けられた出力単語を前記コア辞書から出力するステップと、
前記入力信号に関連付けられた候補単語がユーザによって選択されると、前記候補単語を前記コア辞書に載せることを許可するステップと、
前記入力信号を入力接辞として認識するステップと、
前記入力信号が前記入力接辞として認識された場合、候補単語を隣接候補単語として認識するステップと、
前記入力接辞を含む辞書内の１組の単語を検索するステップと、
前記入力接辞を含む前記１組の単語における各辞書単語を、前記候補単語および前記入力接辞を含むストリングと比較することによる類似性関数に従って、前記入力接辞を含む前記１組の単語をランク付けするステップと、
前記入力接辞を含む前記１組の単語において最も高いランクの辞書単語を出力するステップと、
を含む、方法。
【請求項１９】
ショートハンド・オン・キーボード・インターフェースを介して入力された入力信号に係るテキストの語幹および接辞を組み合わせることを可能にするための、コンピュータが使用可能な媒体上にストアされたコンピュータ・プログラムであって、当該コンピュータに、
一般的に用いられる単語をコア辞書にストアするステップと、
前記コア辞書に含まれない単語を拡張辞書にストアするステップと、
前記入力信号に関連付けられた単語を認識するステップと、
前記入力信号に関連付けられた出力単語を前記コア辞書から出力するステップと、
前記入力信号に関連付けられた候補単語がユーザによって選択されると、前記候補単語を前記コア辞書に載せることを許可するステップと、
前記入力信号を入力接辞として認識し、候補単語を隣接候補単語として更に認識するステップと、
前記入力接辞を含む辞書内の１組の単語を検索するステップと、
前記入力接辞を含む前記１組の単語における各辞書単語を、前記候補単語および前記入力接辞を含むストリングと比較することによる類似性関数に従って、前記入力接辞を含む前記１組の単語をランク付けするステップと、
前記入力接辞を含む前記１組の単語において最も高いランクの辞書単語を出力するステップと、
を実行させるための、コンピュータ・プログラム。